(57)【特許請求の範囲】
【請求項１】
上と下に位置する２つの横枠部材と、左と右に位置する２つの縦枠部材とから構成される矩形状の枠体をルームユニット等の構造物に取付ける、ルームユニット等の構造物への枠体の取付構造であって、
前記構造物は、上下方向に形成されたスリットを有するスタッドを左右両側に備えた開口部を有し、前記縦枠部材を前記スタッドに隣接して立設し、前記スタッドと前記縦枠部材とを前記スリットに嵌合固定される挟持材で挟持するものであり、前記縦枠部材は、前記スタッドと対接するフランジを備えているとともに、前記スタッドとは反対側の面に凹溝を備え、前記挟持材は、２つの平行片と、これらの平行片を連結する連結片とから構成される断面が略コ字状をしており、平行片の一方が前記スリットに嵌合され、平行片の他方が前記縦枠部材の前記凹溝に係合されていることを特徴とするルームユニット等の構造物への枠体の取付構造。
【発明の詳細な説明】
【０００１】
【発明の属する技術分野】
本発明は、浴室ユニット等のルームユニットに、ドアや窓等を取付ける枠体を取付ける構造に係り、特に、構成が簡単であり、取付けが容易なルームユニット等の構造物への枠体の取付構造に関する。
【０００２】
【従来の技術】
従来、この種の枠体の取付構造としては、特開平１０−９６３７３号公報に記載の開口部の枠取付構造がある。この公報に記載の技術は、枠体は開口部の開口幅より幅の狭い本体部の端部に外側へ突出するフランジ部を有し、開口部の内周側には該開口部の開口幅を狭くする別体のバックアップ材を固設させておき、該バックアップ材にフランジ部を当接させて枠体の本体部を開口部内に嵌め込むとともに、該枠体の本体部の少なくとも一辺とバックアップ材間にスペーサーを介在させるものである。そして、枠体の本体部は、ビスを主スペーサー及び調整スペーサーを通して、バックアップ材及びコーナーポストまたは壁パネルに螺合させて、ビスにより枠体を開口部に固定する構成である。
【０００３】
【発明が解決しようとする課題】
ところで、前記構造の開口部の枠取付構造は、枠体の本体部にビスを差込み、ビスを調整スペーサーを通してバックアップ材及びコーナーポストまたは壁パネルに螺合させて、ビスにより枠体を開口部に固定するため、多数本のビスをねじ込むという作業が煩雑であり、施工が面倒であった。また、構成が複雑であり、部品点数が多く、製造が煩雑であった。
【０００４】
本発明は、このような問題に鑑みてなされたものであって、その目的とするところは、ビスや取付けねじ等が不要であり、ルームユニット等の開口部に窓やドア用の枠体を容易に取付けることができ、また構成が簡単で製造が容易である開口部への枠体の取付構造を提供することにある。
【０００５】
【課題を解決するための手段】
前記目的を達成すべく、本発明に係る開口部への枠体の取付構造は、上と下に位置する２つの横枠部材と、左と右に位置する２つの縦枠部材とから構成される矩形状の枠体をルームユニット等の構造物に取付ける構造であり、前記構造物は、上下方向に形成されたスリットを有するスタッドを左右両側に備えた開口部を有し、前記縦枠部材を前記スタッドに隣接して立設し、前記スタッドと前記縦枠部材とを前記スリットに嵌合固定される挟持材で挟持するものであり、前記縦枠部材は、前記スタッドと対接するフランジを備えているとともに、前記スタッドとは反対側の面に凹溝を備え、前記挟持材は、２つの平行片と、これらの平行片を連結する連結片とから構成される断面が略コ字状をしており、平行片の一方が前記スリットに嵌合され、平行片の他方が前記縦枠部材の前記凹溝に係合されていることを特徴としている。
【０００６】
この構成によれば、開口部に矩形状の枠体を嵌め込み、開口部の左右両側のスタッドに枠体の縦枠部材を隣接させて立設し、挟持材をスタッドのスリットに挿入して嵌合させ、挟持材でスタッドと縦枠部材を挟持するだけで、枠体を開口部に極めて容易に取付けることができる。そして、構成が極めて簡単であり、製造が容易に行え、コストダウンを達成できる。
【０００７】
また、この構成によれば、挟持材の平行片の一方をスタッドのスリットに挿入して嵌合させ、平行片の他方をスタッドの開口部側の面に対接させるだけで、枠体をルームユニット等の構造物の開口部に極めて容易に取付けることができる。
【０００８】
さらに、この構成によれば、スタッドに縦枠部材を隣接させるとき、フランジが当たるまで開口部に挿入するため位置決めが容易に行え、挟持材の平行片の他方の端部を凹溝で係合するため、取付け状態が安定する。
【０００９】
【発明の実施の形態】
以下、本発明に係る開口部への枠体の取付構造の一実施形態を図面に基づき詳細に説明する。図１は、本実施形態に係る開口部への枠体の取付構造の概略構成を示す斜視図である。図１において、浴室ユニット等のルームユニット１には、ドア用の開口部２が形成されており、枠体１０は引き戸用のドア枠３を支持する開口枠として開口部２に嵌め込まれて、取付けられるものである。開口部２の左右側部には、ルームユニット１を支持する柱材であるスタッド５，６が立設されており、枠体１０はスタッド５，６間の開口部２に嵌め込むことができる寸法に設定されている。本発明はこれらのスタッド５，６を用いて浴室ユニット１の開口部２へ枠体１０を取付ける構造であり、以下、図２〜４を参照して詳細に説明する。
【００１０】
図２は図１の開口部における水平方向の断面図、図３は図２のＡ部詳細図、図４は図２のＢ部詳細図である。図２〜４において、開口部２の右側にはスタッド５が、左側にはスタッド６が備えられ、スタッド５，６は例えば亜鉛鉄板等の金属板材を折り曲げ形成したものである。スタッド５は長手方向にスリット５ａが形成され断面が凹状をした柱材であり、スタッド６は長手方向にスリット６ａが形成され断面がＬ状をした柱材である。スリット５ａ，６ａは入口部分が広く、奥に行くにしたがって徐々に狭くなり、さらに奥に行くと広がるように、断面が「く」字状と、逆「く」字状の弾性片５ｂ、６ｂが対向して形成されている。
【００１１】
スタッド５，６はルームユニット１の外周に沿って所定の間隔で複数本が立設されており、コーナー部にはスタッド６が固定され、中間部にはスタッド５が固定される。そして、開口部２は２本のスタッド５，６の間隔に形成される。スタッド５，６間に壁パネル７及び枠体１０を嵌め込み、ルームユニット１の壁面が設定される。壁パネル７は、スリット５ａ，６ａ内に左右辺の引掛け部７ａが挿入されて固定される。なお、スタッドは金属板材を折り曲げ形成したものに限らず、アルミニウムの押出し材等で形成してもよい。
【００１２】
枠体１０は図１に示すように、上と下に位置する２つの横枠部材１１，１２と、左と右に位置する２つの縦枠部材１３，１４とから構成され、全体形状が矩形状をしている。本実施形態の枠体１０は、アルミニウムの押出し材からなる横枠部材１１，１２と縦枠部材１３，１４を連結固定し、縦枠部材１３，１４は断面形状が異なっている。枠体１０は、その内部に窓枠等を固定するものや、上下の横枠部材１１，１２に溝を形成して、敷居、鴨居として内部に引き戸を装着するもの、あるいは図２に示すように、枠体１０の外部に引き戸８，８を移動可能に装着するドア枠３を支持するもの等、適宜の形態とすることができる。引き戸８、８はドア枠３のレール３ａ，３ａ上を移動可能であり、一方の引き戸８には、開閉用のハンドル８ａ，８ａが固定されている。枠体１０とドア枠３との隙間は、袖壁９（図２参照）で閉塞されている。引き戸８と縦枠部材１３との間には隙間を塞ぐパッキング１３ａ（図３参照）が嵌め込まれている。
【００１３】
縦枠部材１３，１４のスタッド側、すなわち開口部と反対側の面にはフランジ１５が突設され、このフランジ１５はスタッド５，６のスリットと反対側の面に対接するように突設されている。縦枠部材１３，１４のフランジ１５と反対側の面、すなわちスタッド５，６の隣接面と反対面にはスリットの開口方向と同じ方向に開口する凹溝１６が形成され、この凹溝１６に挟持材２０の平行片２２の端部が挿入して係合可能となっている。
【００１４】
挟持材２０はアルミニウム等の押出し材で形成され、２つの平行片２１，２２と、これらを連結する連結片２３とから構成される断面が略コ字状をしている。一方の平行片２１は、先端に「く」字状に屈曲した係合部２１ａが形成され、スタッド５，６のスリット５ａ，６ａに嵌合することができる。他方の平行片２２は、端部に段差部２２ａが形成され、縦枠部材１３，１４の凹溝１６に挿入して係合することができる。本実施形態の挟持材２０は、２つの平行片２１，２２の中央部に第３の平行片２４が突設され、縦枠部材の段差面１７に当接するように構成されている。なお、２つの平行片２１、２２の間隔を好適に設定して平行片２２が縦枠部材１３，１４を押圧するように対接することが好ましい。
【００１５】
スタッド５，６のスリット５ａ，６ａに挿入された挟持材２０と壁パネル７との隙間には、必要に応じてバックアップ材２５を挿入してコーキング材２６を注入し、スタッド部分における壁パネル７と挟持材２０との連結状態を強固にすると共に、水が浸入することを防止している。スタッド５の部分においては、挟持材２０と壁パネル７とは平面的に連結され、バックアップ材２５を挟んでコーキング材２６で連結され、スタッド６の部分では、挟持材２０と壁パネル７とは直交して連結され、コーキング材２６のみで連結されており、連結状態が補強されている。
【００１６】
前記の如く構成された本実施形態の開口部への枠体の取付構造の動作について以下に説明する。先ず、ルームユニット１の開口部２に外部側から枠体１０を挿入する。これにより、枠体１０の縦枠部材１３，１４が、開口部２の側辺を形成するスタッド５，６の内側、すなわち開口部側に隣接して立設される。このとき、縦枠部材１３，１４のフランジ１５がスタッド５，６のスリットと反対側の面に対接し、枠体１０の位置決めが容易に行える。
【００１７】
つぎに、図３に示すように、挟持材２０の開口側の平行片２２を縦枠部材１３の開口側の面に沿わせて平行移動し、平行片２１の係合部２１ａをスリット５ａ内に挿入する。すなわち、ルームユニット１の内部に向けて開口するスリット５ａに向けて、挟持材の平行片２１を内部側から挿入する。スリットの弾性片５ｂと挟持材の係合部２０ａとの少なくとも一方が弾性変形し、弾性片５ｂの内部に係合部２０ａが嵌合して、挟持材２０はスタッド５に固定される。これにより、枠体１０の一方側の縦枠部材１３は開口部２のスタッド５に固定される。
【００１８】
また、スタッド６のスリット６ａにも、挟持材の係合部２０ａを挿入し、同様にして挟持材２０が嵌合してスタッド６と縦枠部材１４とを挟持し、枠体１０の他方側の縦枠部材１４は開口部２のスタッド６に固定される。この後、スタッド５，６のスリット５ａ，６ａ内に壁パネル７の係合片７ａを挿入して壁パネル７を取付ける。スタッド５の部分では壁パネル７と挟持材２０との間にバックアップ材２５を挟み、コーキング材２６を注入し、スタッド６の部分では壁パネル７と挟持材２０との間にコーキング材２６を注入して連結する。
【００１９】
このように、枠体１０の開口部２への取付けは、開口部２のスタッド５，６の内側に枠体１０を位置させ、枠体１０の縦枠部材１３，１４とスタッド５，６を挟持するように挟持材２０の平行片２２を縦枠部材１３，１４の開口側の面に対接させ、平行片２１をスリット５ａ，６ａ内に挿入して嵌合させることだけで、挟持材２０がスタッド５、６と縦枠部材１３、１４を挟持して確実に枠体１０を開口部２に取付けることができる。
【００２０】
また、スタッド５，６の開口部側に縦枠部材１３，１４を位置させるとき、スタッドの面に縦枠部材のフランジ１５が対接するため、所定の位置に縦枠部材１３，１４を位置決めでき、挟持材２０の平行片２１をスタッドのスリット５ａ，６ａへ挿入することが容易に行える。そして、挟持材２０の平行片２２が縦枠部材１３，１４の開口部側の面を押圧すると挟持状態が安定し、挟持材２０の平行片２２の他方端の段差部２２ａが縦枠部材の凹溝１６に係合するため、縦枠部材１３，１４を確実に固定できる。
【００２１】
さらに、開口部２への枠体１０の取付けは、開口部２を形成するスタッド５，６のスリット５ａ，６ａ内に挟持材２０の平行片の一方２１を挿入し、平行片の他方２２を枠体１０の縦枠部材１３，１４の開口部側の面に対接させる構成なので、部品単数が極めて少なく、構成が簡単となる。スリット５ａ，６ａがルームユニット１内部に向けて開口しているため、スリット内に壁パネル７の端部の係合部７ａを挿入することができ、スリット５ａ，６ａに挟持材２０と壁パネル７の両方を支持させることができ、部品点数の削減と構成の簡素化が図れる。このため、製造が容易となり、コストダウンも可能となる。
【００２２】
なお、前記した実施形態では枠体の外側に引き戸を装着する例について述べたが、矩形状の枠体の内部に窓枠を装着してもよく、枠体の内部に蝶番によりドアを揺動可能に支持してもよく、また枠体の上と下の２つの横枠部材に溝を形成し、鴨居及び敷居として内部に引き戸を装着するように構成してもよい。さらに、枠体及びスタッドは金属押出し材から形成したものに限らず、木材で形成したものでもよい。
【００２３】
【発明の効果】
以上の説明から理解できるように、本発明のルームユニット等の構造物ヘの枠体の取付構造は、開口部を形成するスタッドのスリットに挟持材を挿入して嵌合させるだけで、スタッドと縦枠部材を挟持してルームユニット等の構造物の開口部に枠体を容易に取付けることができる。また、構成が簡単であり、製造が容易でコストダウンを達成できる。挟持材の２つの平行片でスタッドと枠体の縦枠部材とを挟持して、枠体を開口部に容易に取付けできる。さらに、位置決めが容易に行え、取付け状態が安定する。
【図面の簡単な説明】
【図１】本発明に係るルームユニット等の構造物への枠体の取付構造の一実施形態の概略構成を示す斜視図。
【図２】図１の開口部における水平方向の断面図。
【図３】図２のＡ部詳細図。
【図４】図２のＢ部詳細図。
【符号の説明】
１  ルームユニット、  ２  開口部、
５，６  スタッド、    ５ａ，６ａ  スリット、
１０  枠体、          １１，１２  横枠部材、
１３，１４  縦枠部材、
１５  フランジ、      １６  凹溝
２０  挟持材、        ２１  平行片の一方、
２１ａ  係合部、      ２２  平行片の他方、
２２ａ  段差部（端部）、  ２３  連結片
【図１】
0003930282.tif 000002
【図２】
0003930282.tif 000003
【図３】
0003930282.tif 000004
【図４】
0003930282.tif 000005